(57)【要約】【課題】カートリッジを第１方向に容易に引き出すことを目的とする。【解決手段】画像形成装置は、本体筐体２と、ドラムカートリッジ４０Ａと、現像カートリッジ５０Ａを備える。ドラムカートリッジ４０Ａは、第１方向に延びる第１軸について回転可能な感光ドラム４１と、第１凹みＢ１を有する第１ハンドルＨ１を有する。現像カートリッジ５０Ａは、第２凹みＢ２を有する第２ハンドルＨ２を有する。ドラムカートリッジ４０Ａおよび現像カートリッジ５０Ａは、第１方向に本体筐体２に着脱可能である。第１ハンドルＨ１は、第１方向におけるドラムフレームＦ１の一端に位置し、ドラムカートリッジ４０Ａが本体筐体２に装着された状態において、本体筐体２から露出する。第２ハンドルＨ２は、第１方向における現像フレームＦ２の一端に位置し、現像カートリッジ５０Ａが本体筐体２に装着された状態において、本体筐体２から露出する。【選択図】図４
2020052359.tif 000002
【特許請求の範囲】
【請求項１】
本体筐体と、
第１方向に延びる第１軸について回転可能な感光ドラムと、ドラムフレームと、を有するドラムカートリッジであって、前記第１方向に前記本体筐体に着脱可能なドラムカートリッジと、
前記第１方向に延びる第２軸について回転可能な現像ローラと、現像剤を収容可能な現像フレームと、を有する現像カートリッジであって、前記第１方向に前記本体筐体に着脱可能な現像カートリッジと、
前記ドラムカートリッジおよび前記現像カートリッジが前記本体筐体に装着された状態において、前記ドラムカートリッジおよび前記現像カートリッジよりも上方に位置する中間転写ベルトと、を備え、
前記ドラムカートリッジは、前記第１方向における前記ドラムフレームの一端に位置する第１ハンドルであって、前記ドラムカートリッジが前記本体筐体に装着された状態において、前記本体筐体から露出された第１ハンドルであって、第１凹みを有する第１ハンドルを有し、
前記現像カートリッジは、前記第１方向における前記現像フレームの一端に位置する第２ハンドルであって、前記現像カートリッジが前記本体筐体に装着された状態において、前記本体筐体から露出された第２ハンドルであって、第２凹みを有する第２ハンドルを有することを特徴とする画像形成装置。
【請求項２】
前記中間転写ベルトの上方に位置する排紙部を備えたことを特徴とする請求項１に記載の画像形成装置。
【請求項３】
前記第１凹みは、ユーザが前記本体筐体から前記ドラムカートリッジを取り出す場合に、ユーザの指がフックされることを許容することを特徴とする請求項１または請求項２に記載の画像形成装置。
【請求項４】
前記第２凹みは、ユーザが前記本体筐体から前記現像カートリッジを取り出す場合に、ユーザの指がフックされることを許容することを特徴とする請求項１から請求項３のいずれか１項に記載の画像形成装置。
【請求項５】
前記ドラムカートリッジと前記現像カートリッジは、それぞれ独立して、前記本体筐体に着脱可能であることを特徴とする請求項１から請求項４のいずれか１項に記載の画像形成装置。
【請求項６】
前記第１ハンドルは、前記ドラムカートリッジが前記本体筐体に装着された状態で、前記感光ドラムの下方に位置することを特徴とする請求項１から請求項５のいずれか１項に記載の画像形成装置。
【請求項７】
前記第１凹みは、上方から下方に向けて凹むことを特徴とする請求項１から請求項６のいずれか１項に記載の画像形成装置。
【請求項８】
前記第１凹みは、下方から上方に向けて凹むことを特徴とする請求項１から請求項６のいずれか１項に記載の画像形成装置。
【請求項９】
前記第１凹みは、上方から下方に向けて貫通する貫通穴であることを特徴とする請求項１から請求項６のいずれか１項に記載の画像形成装置。
【請求項１０】
前記ドラムカートリッジおよび前記現像カートリッジが前記本体筐体に装着された状態で、前記第１凹みは、前記ドラムカートリッジと前記現像カートリッジの並び方向である第２方向に凹むことを特徴とする請求項１から請求項６のいずれか１項に記載の画像形成装置。
【請求項１１】
前記第２ハンドルは、前記現像カートリッジが前記本体筐体に装着された状態で、前記現像ローラの下方に位置することを特徴とする請求項１から請求項１０のいずれか１項に記載の画像形成装置。
【請求項１２】
前記第２凹みは、上方から下方に向けて凹むことを特徴とする請求項１から請求項１１のいずれか１項に記載の画像形成装置。
【請求項１３】
前記第２凹みは、下方から上方に向けて凹むことを特徴とする請求項１から請求項１１のいずれか１項に記載の画像形成装置。
【請求項１４】
前記第２凹みは、上方から下方に向けて貫通する貫通穴であることを特徴とする請求項１から請求項１１のいずれか１項に記載の画像形成装置。
【請求項１５】
前記ドラムカートリッジおよび前記現像カートリッジが前記本体筐体に装着された状態で、前記第２凹みは、前記ドラムカートリッジと前記現像カートリッジの並び方向である第２方向に凹むことを特徴とする請求項１から請求項１１のいずれか１項に記載の画像形成装置。
【請求項１６】
前記第２ハンドルの少なくとも一部は、前記ドラムカートリッジおよび前記現像カートリッジが前記本体筐体に装着された状態において、前記第１方向において、前記ドラムカートリッジの少なくとも一部と重なり、前記第１方向において、前記第１ハンドルよりも前記ドラムフレームから離れた位置に位置することを特徴とする請求項１から請求項５のいずれか１項に記載の画像形成装置。
【請求項１７】
前記第２ハンドルの少なくとも一部は、前記ドラムカートリッジおよび前記現像カートリッジが前記本体筐体に装着された状態において、前記第１ハンドルよりも下方に位置することを特徴とする請求項１から請求項１６のいずれか１項に記載の画像形成装置。
【請求項１８】
前記ドラムカートリッジは、前記第１方向において、前記第１方向における前記ドラムフレームの一端部と前記第１方向における前記ドラムフレームの他端部との間に位置するドラムハンドルであって、前記ドラムカートリッジが前記本体筐体に装着された状態において、前記第１ハンドルの上方に位置するドラムハンドルであり、上方から下方に向けて凹むドラムハンドルを有することを特徴とする請求項１から請求項１７のいずれか一項に記載の画像形成装置。
【発明の詳細な説明】
【技術分野】
【０００１】
本発明は、本体筐体に着脱可能なドラムカートリッジおよび現像カートリッジを備える画像形成装置に関する。
【背景技術】
【０００２】
従来、本体筐体に対してドラムカートリッジおよび現像カートリッジを、感光ドラムの回転軸に沿った方向である第１方向に着脱可能な画像形成装置が知られている（特許文献１参照）。この技術では、ドラムカートリッジおよび現像カートリッジは、それぞれ独立して、本体筐体に対して着脱可能となっている。各カートリッジの第１方向の側面は、ユーザによって掴むことが可能な凸部を有する。ユーザは、凸部を指で掴んで各カートリッジを引き出すことが可能となっている。
【先行技術文献】
【特許文献】
【０００３】
【特許文献１】特開２０１８−７２６７７号公報
【発明の概要】
【発明が解決しようとする課題】
【０００４】
しかしながら、従来の技術では、カートリッジの引き出し作業が容易でないという問題がある。
【０００５】
そこで、本発明は、カートリッジを第１方向に容易に引き出すことができる画像形成装置を提供することを目的とする。
【課題を解決するための手段】
【０００６】
前記課題を解決するため、本発明に係る画像形成装置は、本体筐体と、第１方向に延びる第１軸について回転可能な感光ドラムと、ドラムフレームと、を有するドラムカートリッジであって、前記第１方向に前記本体筐体に着脱可能なドラムカートリッジと、前記第１方向に延びる第２軸について回転可能な現像ローラと、現像剤を収容可能な現像フレームと、を有する現像カートリッジであって、前記第１方向に前記本体筐体に着脱可能な現像カートリッジと、前記ドラムカートリッジおよび前記現像カートリッジが前記本体筐体に装着された状態において、前記ドラムカートリッジおよび前記現像カートリッジよりも上方に位置する中間転写ベルトと、を備える。
前記ドラムカートリッジは、前記第１方向における前記ドラムフレームの一端に位置する第１ハンドルであって、前記ドラムカートリッジが前記本体筐体に装着された状態において、前記本体筐体から露出された第１ハンドルであって、第１凹みを有する第１ハンドルを有する。
前記現像カートリッジは、前記第１方向における前記現像フレームの一端に位置する第２ハンドルであって、前記現像カートリッジが前記本体筐体に装着された状態において、前記本体筐体から露出された第２ハンドルであって、第２凹みを有する第２ハンドルを有する。
【０００７】
この構成によれば、第１凹みまたは第２凹みにユーザの指を入れることができるので、カートリッジを第１方向に容易に引き出すことができる。
【０００８】
また、前記画像形成装置は、前記中間転写ベルトの上方に位置する排紙部を備えていてもよい。
【０００９】
また、前記第１凹みは、ユーザが前記本体筐体から前記ドラムカートリッジを取り出す場合に、ユーザの指がフックされることを許容してもよい。
【００１０】
これによれば、第１凹みにユーザの指をフックさせることができる。
【００１１】
また、前記第２凹みは、ユーザが前記本体筐体から前記現像カートリッジを取り出す場合に、ユーザの指がフックされることを許容してもよい。
【００１２】
これによれば、第２凹みにユーザの指をフックさせることができる。
【００１３】
また、前記ドラムカートリッジと前記現像カートリッジは、それぞれ独立して、前記本体筐体に着脱可能であってもよい。
【００１４】
また、前記第１ハンドルは、前記ドラムカートリッジが前記本体筐体に装着された状態で、前記感光ドラムの下方に位置していてもよい。
【００１５】
また、前記第１凹みは、上方から下方に向けて凹んでいてもよい。
【００１６】
また、前記第１凹みは、下方から上方に向けて凹んでいてもよい。
【００１７】
また、前記第１凹みは、上方から下方に向けて貫通する貫通穴であってもよい。
【００１８】
また、前記ドラムカートリッジおよび前記現像カートリッジが前記本体筐体に装着された状態で、前記第１凹みは、前記ドラムカートリッジと前記現像カートリッジの並び方向である第２方向に凹んでいてもよい。
【００１９】
また、前記第２ハンドルは、前記現像カートリッジが前記本体筐体に装着された状態で、前記現像ローラの下方に位置していてもよい。
【００２０】
また、前記第２凹みは、上方から下方に向けて凹んでいてもよい。
【００２１】
また、前記第２凹みは、下方から上方に向けて凹んでいてもよい。
【００２２】
また、前記第２凹みは、上方から下方に向けて貫通する貫通穴であってもよい。
【００２３】
また、前記ドラムカートリッジおよび前記現像カートリッジが前記本体筐体に装着された状態で、前記第２凹みは、前記ドラムカートリッジと前記現像カートリッジの並び方向である第２方向に凹んでいてもよい。
【００２４】
また、前記第２ハンドルの少なくとも一部は、前記ドラムカートリッジおよび前記現像カートリッジが前記本体筐体に装着された状態において、前記第１方向において、前記ドラムカートリッジの少なくとも一部と重なり、前記第１方向において、前記第１ハンドルよりも前記ドラムフレームから離れた位置に位置していてもよい。
【００２５】
これによれば、第２ハンドルをユーザが掴みやすいので、交換頻度が高い現像カートリッジをより容易に交換することができる。
【００２６】
また、前記第２ハンドルの少なくとも一部は、前記ドラムカートリッジおよび前記現像カートリッジが前記本体筐体に装着された状態において、前記第１ハンドルよりも下方に位置していてもよい。
【００２７】
これによれば、ユーザの指を第２ハンドルに下からフックしやすいので、交換頻度が高い現像カートリッジをより容易に交換することができる。
【００２８】
また、前記ドラムカートリッジは、前記第１方向において、前記第１方向における前記ドラムフレームの一端部と前記第１方向における前記ドラムフレームの他端部との間に位置するドラムハンドルであって、前記ドラムカートリッジが前記本体筐体に装着された状態において、前記第１ハンドルの上方に位置するドラムハンドルであり、上方から下方に向けて凹むドラムハンドルを有していてもよい。
【００２９】
これによれば、ユーザは、第１ハンドルに指をフックしてドラムカートリッジを第１方向に引き出した後、ドラムハンドルを掴んでドラムカートリッジを上方に容易に取り出すことができる。
【発明の効果】
【００３０】
本発明によれば、カートリッジを第１方向に容易に引き出すことができる。
【図面の簡単な説明】
【００３１】
【図１】本発明の一実施形態に係るカラープリンタの概略構成を示す図である。
【図２】本体筐体のカバーを開けた状態を示す斜視図である。
【図３】ドラムカートリッジを本体筐体から引き出した状態を示す斜視図である。
【図４】現像カートリッジを本体筐体から引き出した状態を示す斜視図である。
【図５】ドラムカートリッジを示す斜視図（ａ），（ｂ）である。
【図６】現像カートリッジを示す斜視図（ａ），（ｂ）である。
【図７】本体筐体の構成を示す斜視図である。
【図８】各カートリッジとストッパ等との関係を示す図である。
【図９】ドラムカートリッジがストッパと接触した状態を示す斜視図である。
【図１０】現像カートリッジがストッパと接触した状態を示す斜視図である。
【図１１】本発明の第１変形例を示す図である。
【図１２】第１変形例に係る各カートリッジを示す斜視図である。
【図１３】本発明の第２変形例を示す斜視図である。
【図１４】本発明の第３変形例を示す図である。
【発明を実施するための形態】
【００３２】
次に、本発明の一実施形態について、適宜図面を参照しながら詳細に説明する。なお、以下の説明においては、まず、画像形成装置の一例としてのカラープリンタ１の全体構成を説明する。
【００３３】
図１に示すように、カラープリンタ１は、本体筐体２と、給紙部３と、画像形成部４と、排紙部２１と、を備える。給紙部３は、画像形成部４に用紙Ｐを供給する。画像形成部４は、用紙Ｐに画像を形成する。排紙部２１は、用紙Ｐを排出する。
【００３４】
排紙部２１は、本体筐体２の上部に位置する。排紙部２１は、後述する中間転写ベルト６３の上方に位置する。排紙部２１は、排出ローラ９と、排紙面と、を備える。排出ローラ９は、用紙Ｐを排紙面に向けて搬送する。
【００３５】
給紙部３は、本体筐体２内の下部に位置する。給紙部３は、給紙トレイ３１と、給紙機構３２と、を備える。給紙トレイ３１は、本体筐体２に着脱可能である。給紙機構３２は、用紙Ｐを給紙トレイ３１から画像形成部４に搬送する。
【００３６】
画像形成部４は、第１ドラムカートリッジ４０Ａ、第２ドラムカートリッジ４０Ｂ、第３ドラムカートリッジ４０Ｃおよび第４ドラムカートリッジ４０Ｄと、第１現像カートリッジ５０Ａ、第２現像カートリッジ５０Ｂ、第３現像カートリッジ５０Ｃおよび第４現像カートリッジ５０Ｄと、露光装置ＳＵと、転写ユニット６０と、定着ユニット７０と、を備える。
【００３７】
各ドラムカートリッジ４０Ａ〜４０Ｄは、感光ドラム４１と、ドラムフレームＦ１と、図示せぬ帯電器と、を有する。感光ドラム４１は、第１方向に延びる第１軸Ｘ１について回転可能である。各ドラムカートリッジ４０Ａ〜４０Ｄは、第１方向および上下方向に直交する第２方向に並ぶ。
【００３８】
ドラムカートリッジ４０Ａ〜４０Ｄおよび現像カートリッジ５０Ａ〜５０Ｄが本体筐体２に装着された状態において、ドラムカートリッジ４０Ａ〜４０Ｄは、第１方向および上下方向に直交する第２方向において、現像カートリッジ５０Ａ〜５０Ｄと並ぶ。
【００３９】
第１ドラムカートリッジ４０Ａは、第２方向において、第２ドラムカートリッジ４０Ｂよりも後述する駆動ローラ６１に近い。第２ドラムカートリッジ４０Ｂは、第２方向において、第３ドラムカートリッジ４０Ｃよりも駆動ローラ６１に近い。第３ドラムカートリッジ４０Ｃは、第２方向において、第４ドラムカートリッジ４０Ｄよりも駆動ローラ６１に近い。
【００４０】
各現像カートリッジ５０Ａ〜５０Ｄは、それぞれ異なる色の現像剤を収容する。各現像カートリッジ５０Ａ〜５０Ｄは、現像ローラ５１と、現像フレームＦ２と、を有する。現像フレームＦ２は、現像剤を収容する。現像ローラ５１は、第１方向に延びる第２軸Ｘ２について回転可能である。各現像カートリッジ５０Ａ〜５０Ｄは、第２方向に並ぶ。各現像カートリッジ５０Ａ〜５０Ｄは、現像ローラ５１が感光ドラム４１に接触する接触位置（図１の位置）と、現像ローラ５１が感光ドラム４１から離間する離間位置（図８の位置）との間で移動可能となっている。各現像カートリッジ５０Ａ〜５０Ｄは、図示せぬ機構により、接触位置と離間位置との間で移動可能となっている。
【００４１】
第１現像カートリッジ５０Ａは、第２方向において、第１ドラムカートリッジ４０Ａと第２ドラムカートリッジ４０Ｂの間に位置する。第２現像カートリッジ５０Ｂは、第２方向において、第２ドラムカートリッジ４０Ｂと第３ドラムカートリッジ４０Ｃの間に位置する。第３現像カートリッジ５０Ｃは、第２方向において、第３ドラムカートリッジ４０Ｃと第４ドラムカートリッジ４０Ｄの間に位置する。第４現像カートリッジ５０Ｄは、第２方向において、第４ドラムカートリッジ４０Ｄよりも駆動ローラ６１から遠い。
【００４２】
露光装置ＳＵは、各ドラムカートリッジ４０Ａ〜４０Ｄの下に位置する。露光装置ＳＵは、レーザ光を各感光ドラム４１に出射する。
【００４３】
転写ユニット６０は、４つの感光ドラム４１と排紙部２１との間に位置する。転写ユニット６０は、駆動ローラ６１と、従動ローラ６２と、中間転写ベルト６３と、４つの１次転写ローラ６４と、２次転写ローラ６５と、を備える。
【００４４】
中間転写ベルト６３は、無端状のベルトである。中間転写ベルト６３は、ドラムカートリッジ４０Ａ〜４０Ｄおよび現像カートリッジ５０Ａ〜５０Ｄが本体筐体２に装着された状態において、ドラムカートリッジ４０Ａ〜４０Ｄおよび現像カートリッジ５０Ａ〜５０Ｄよりも上方に位置する。駆動ローラ６１および従動ローラ６２は、中間転写ベルト６３の内側に位置する。中間転写ベルト６３は、テンションが付与された状態で、駆動ローラ６１と従動ローラ６２に支持されている。
【００４５】
１次転写ローラ６４は、中間転写ベルト６３の内側に位置する。１次転写ローラ６４と感光ドラム４１は、中間転写ベルト６３を挟む。
【００４６】
２次転写ローラ６５は、中間転写ベルト６３の外側に位置する。２次転写ローラ６５と駆動ローラ６１は、中間転写ベルト６３を挟む。
【００４７】
定着ユニット７０は、中間転写ベルト６３の上に位置する。定着ユニット７０は、加熱ローラ７１と、加圧ローラ７２と、を備える。加圧ローラ７２は、加熱ローラ７１に押圧される。
【００４８】
まず、帯電器が、感光ドラム４１の表面を帯電させる。その後、露光装置ＳＵが、感光ドラム４１の表面を露光する。これにより、感光ドラム４１上に静電潜像が形成される。
【００４９】
次いで、現像ローラ５１が、感光ドラム４１上の静電潜像に現像剤を供給する。これにより、感光ドラム４１上に現像剤像が形成される。そして、感光ドラム４１上の現像剤像は、中間転写ベルト６３上に転写される。
【００５０】
用紙Ｐが中間転写ベルト６３と２次転写ローラ６５の間を通過するときに、中間転写ベルト６３上の現像剤像は、用紙Ｐ上に転写される。その後、用紙Ｐ上の現像剤像は、定着ユニット７０で定着される。次いで、用紙Ｐは、排出ローラ９によって排紙部２１に排出される。
【００５１】
図２に示すように、本体筐体２は、本体筐体２の開口を開閉するカバーＣを有する。開口２２Ａは、各ドラムカートリッジ４０Ａ〜４０Ｄおよび各現像カートリッジ５０Ａ〜５０Ｄを着脱するための開口である。
【００５２】
カバーＣは、第１カバーＣ１と、第２カバーＣ２と、を有する。
【００５３】
第１カバーＣ１は、第１カバーＣ１の下端を中心に回動する。第１カバーＣ１は、開口２２Ａの少なくとも一部を開閉する。第１カバーＣ１は、ガイド部Ｇを有する。
【００５４】
ガイド部Ｇは、４つの凸部Ｇ１，Ｇ２，Ｇ３，Ｇ４と、４つの第２ガイド面Ｇ２１，Ｇ２２，Ｇ２３，Ｇ２４と、を有する。各凸部Ｇ１〜Ｇ４は、各カバーＣ１，Ｃ２が開いた状態において、各第２ガイド面Ｇ２１〜Ｇ２４よりも上に突出する。
【００５５】
４つの凸部Ｇ１，Ｇ２，Ｇ３，Ｇ４は、それぞれ第１ガイド面Ｇ１１，Ｇ１２，Ｇ１３，Ｇ１４を有する。詳しくは、第１ガイド面Ｇ１１〜Ｇ１４は、凸部Ｇ１〜Ｇ４の上面である。
【００５６】
第１ガイド面Ｇ１１〜Ｇ１４は、各カバーＣ１，Ｃ２が開いた状態において、ドラムカートリッジ４０Ａ〜４０Ｄをガイドする面である。第１ガイド面Ｇ１１〜Ｇ１４は、ドラムカートリッジ４０Ａ〜４０Ｄを本体筐体２に対して着脱するときに、ドラムカートリッジ４０Ａ〜４０Ｄの後述する第４ドラム外表面４４０を支持する。第１ガイド面Ｇ１１〜Ｇ１４は、第２ガイド面Ｇ２１〜Ｇ２４よりも上に位置する。
【００５７】
各第２ガイド面Ｇ２１〜Ｇ２４は、第１カバーＣ１および第２カバーＣ２を開いた状態において、現像カートリッジ５０Ａ〜５０Ｄをガイドする面である。各第２ガイド面Ｇ２１〜Ｇ２４は、現像カートリッジ５０Ａ〜５０Ｄを本体筐体２に対して着脱するときに、現像カートリッジ５０Ａ〜５０Ｄの後述する第３現像外表面５４０を支持する。
【００５８】
第２カバーＣ２は、第２カバーＣ２の下端を中心に回動する。第２カバーＣ２は、開口２２Ａおよび第１カバーＣ１を覆う。なお、第２カバーＣ２は、第１カバーＣ１の回動に連動して回動してもよい。また、第１カバーＣ１と第２カバーＣ２が、それぞれ別々に回動可能となっていてもよい。
【００５９】
第２カバーＣ２は、第１ストッパＳ１と、第２ストッパＳ２と、第３ストッパＳ３と、第４ストッパＳ４と、第５ストッパＳ５と、を有する。各ストッパＳ１〜Ｓ５は、各ドラムカートリッジ４０Ａ〜４０Ｄおよび各現像カートリッジ５０Ａ〜５０Ｄの少なくとも１つのカートリッジの移動、詳しくは、本体筐体２内から本体筐体２の外へ向かう第１方向に沿った移動を止める部材である。
【００６０】
詳しくは、第１ストッパＳ１は、第１ドラムカートリッジ４０Ａの第１方向外側への移動を規制する。第２ストッパＳ２は、第１現像カートリッジ５０Ａおよび第２ドラムカートリッジ４０Ｂの第１方向外側への移動を規制する。
【００６１】
第３ストッパＳ３は、第２現像カートリッジ５０Ｂおよび第３ドラムカートリッジ４０Ｃの第１方向外側への移動を規制する。第４ストッパＳ４は、第３現像カートリッジ５０Ｃおよび第４ドラムカートリッジ４０Ｄの第１方向外側への移動を規制する。第５ストッパＳ５は、第４現像カートリッジ５０Ｄの第１方向外側への移動を規制する。
【００６２】
各ストッパＳ１〜Ｓ５は、第１カバーＣ１および第２カバーＣ２を開いた状態で、第１方向において、ガイド部Ｇよりも開口２２Ａから遠い位置に位置する。なお、各ストッパＳ１〜Ｓ５の構造については、後で詳述する。
【００６３】
図３および図４に示すように、ドラムカートリッジ４０Ａ〜４０Ｄおよび現像カートリッジ５０Ａ〜５０Ｄは、それぞれ独立して、本体筐体２に対して第１方向に着脱可能となっている。各ドラムカートリッジ４０Ａ〜４０Ｄは、同一の構造となっている。各現像カートリッジ５０Ａ〜５０Ｄは、同一の構造となっている。以下の説明では、第２ドラムカートリッジ４０Ｂおよび第２現像カートリッジ５０Ｂの構造を、代表して説明する。
【００６４】
図５（ａ），（ｂ）に示すように、第２ドラムカートリッジ４０Ｂは、第１ドラム外表面４１０と、第１ハンドルＨ１と、第２ドラム外表面４２０と、第３ドラム外表面４３０と、ドラムハンドルＨＵ１と、第４ドラム外表面４４０と、第１突起Ｐ１と、第１ガイド溝ＧＧ１と、を有する。第１ドラム外表面４１０は、第２ドラムカートリッジ４０Ｂの第１方向の一端に位置する。第１ハンドルＨ１は、第１ドラム外表面４１０に位置する。
【００６５】
第１ハンドルＨ１は、第１方向におけるドラムフレームＦ１の一端に位置する。第１ハンドルＨ１は、第１ドラム外表面４１０の下部に位置する。第１ハンドルＨ１は、第２ドラムカートリッジ４０Ｂが本体筐体２に装着された状態において、本体筐体２から露出される（図２参照）。第１ハンドルＨ１は、第２ドラムカートリッジ４０Ｂが本体筐体２に装着された状態で、感光ドラム４１の下方に位置する（図２参照）。
【００６６】
第１ハンドルＨ１は、第１部位Ｈ１１と、第２部位Ｈ１２と、第３部位Ｈ１３と、を有する。第１部位Ｈ１１は、第１ドラム外表面４１０から第１方向に離れて配置される。第２部位Ｈ１２は、第１部位Ｈ１１の第２方向の一端部と第１ドラム外表面４１０とを連結する。
【００６７】
第３部位Ｈ１３は、第２方向において、第２部位Ｈ１２から離れて配置されている。第３部位Ｈ１３は、第１部位Ｈ１１の第２方向の他端部と第１ドラム外表面４１０とを連結して補強する。
【００６８】
第１ドラム外表面４１０、第２部位Ｈ１２、第１部位Ｈ１１および第３部位Ｈ１３は、第１凹みＢ１を形成する。つまり、第１ハンドルＨ１は、第１凹みＢ１を有する。第１凹みＢ１は、上方から下方に向けて貫通する貫通穴である。第１凹みＢ１は、ユーザが本体筐体２から第２ドラムカートリッジ４０Ｂを取り出す場合に、ユーザの指がフックされることを許容する。
【００６９】
第２ドラム外表面４２０は、第２ドラムカートリッジ４０Ｂの上端に位置する。
【００７０】
第３ドラム外表面４３０は、第２方向において、第２ドラムカートリッジ４０Ｂの一端に位置する。なお、感光ドラム４１は、第２方向において、第２ドラムカートリッジ４０Ｂの他端に位置する。第３ドラム外表面４３０は、感光ドラム４１に向けて凹む凹部４３１を有する。
【００７１】
ドラムハンドルＨＵ１は、２つの凹部４２１，４３１を有する。ドラムハンドルＨＵ１は、第１方向において、第１方向におけるドラムフレームＦ１の一端部と第１方向におけるドラムフレームＦ１の他端部との間に位置する。ドラムハンドルＨＵ１は、第２ドラムカートリッジ４０Ｂが本体筐体２に装着された状態において、第１ハンドルＨ１の上方に位置する。凹部４２１は、第２ドラム外表面４２０に位置する。凹部４２１は、第２ドラム外表面４２０から下方に向けて凹む。凹部４３１は、第３ドラム外表面４３０に位置する。凹部４３１は、感光ドラム４１に向けて凹む。
【００７２】
図５（ｂ）に示すように、第４ドラム外表面４４０は、第１ガイド面Ｇ１２と接触する。第１突起Ｐ１および第１ガイド溝ＧＧ１は、第４ドラム外表面４４０に位置する。
【００７３】
第１突起Ｐ１は、第４ドラム外表面４４０から下方に突出する。第１突起Ｐ１は、第１ハンドルＨ１から第１方向に離れた位置に位置する。第１突起Ｐ１は、第２方向において、第４ドラム外表面４４０の一端に位置する。詳しくは、第４ドラム外表面４４０は、第３ドラム外表面４３０と接続される一端を有する。第１突起Ｐ１は、第４ドラム外表面４４０の一端に位置する。
【００７４】
第１ガイド溝ＧＧ１は、第４ドラム外表面４４０から上方に向けて凹んでいる。第１ガイド溝ＧＧ１は、第２方向において、第４ドラム外表面４４０の中央に位置する。第１ガイド溝ＧＧ１は、第１方向に延びている。第１ガイド溝ＧＧ１の第１方向の一端は、第１ガイド溝ＧＧ１の第１方向の他端よりも第１ハンドルＨ１に近い。第１ガイド溝ＧＧ１の第１方向の他端は、第１方向に開口している。
【００７５】
図６（ａ），（ｂ）に示すように、第２現像カートリッジ５０Ｂは、第１現像外表面５１０と、第２ハンドルＨ２と、第２現像外表面５３０と、現像ハンドルＨＵ２と、第３現像外表面５４０と、第２突起Ｐ２と、第２ガイド溝ＧＧ２と、を有する。第１現像外表面５１０は、第２現像カートリッジ５０Ｂの第１方向の一端に位置する。第２ハンドルＨ２は、第１現像外表面５１０に位置する。
【００７６】
第２ハンドルＨ２は、第１方向における現像フレームＦ２の一端に位置する。第２ハンドルＨ２は、第２現像カートリッジ５０Ｂが本体筐体２に装着された状態において、本体筐体２から露出される（図２参照）。第２ハンドルＨ２は、第２現像カートリッジ５０Ｂが本体筐体２に装着された状態で、現像ローラ５１の下方に位置する。第２ハンドルＨ２の少なくとも一部は、ドラムカートリッジ４０Ａ〜４０Ｄおよび現像カートリッジ５０Ａ〜５０Ｄが本体筐体２に装着された状態において、第１ハンドルＨ１よりも下方に位置する（図２参照）。
【００７７】
第２ハンドルＨ２は、第１現像外表面５１０の下部に位置する。第２ハンドルＨ２は、第４部位Ｈ２１と、第５部位Ｈ２２と、第６部位Ｈ２３と、を有する。第４部位Ｈ２１は、第１現像外表面５１０から第１方向に離れて配置される。第５部位Ｈ２２は、第４部位Ｈ２１の第２方向の一端部と第１現像外表面５１０とを連結する。
【００７８】
第６部位Ｈ２３は、第２方向において、第５部位Ｈ２２から離れて配置されている。第６部位Ｈ２３は、第４部位Ｈ２１の第２方向の他端部と第１現像外表面５１０とを連結して補強する。
【００７９】
第１現像外表面５１０、第５部位Ｈ２２、第４部位Ｈ２１および第６部位Ｈ２３は、第２凹みＢ２を形成する。つまり、第２ハンドルＨ２は、第２凹みＢ２を有する。第２凹みＢ２は、上方から下方に向けて貫通する貫通穴である。第２凹みＢ２は、ユーザが本体筐体２から第２現像カートリッジ５０Ｂを取り出す場合に、ユーザの指がフックされることを許容する。
【００８０】
第２現像外表面５３０は、第２方向において、第２現像カートリッジ５０Ｂの一端に位置する。現像ハンドルＨＵ２は、第２現像外表面５３０の上端に位置する。現像ハンドルＨＵ２は、第２現像外表面５３０から第２方向に突出する。
【００８１】
第２現像外表面５３０は、第２方向に交差する面である。第２突起Ｐ２は、第２現像外表面５３０の下部に位置する。第２突起Ｐ２は、第２現像外表面５３０から第２方向に突出する。第２突起Ｐ２は、第２ハンドルＨ２から第１方向に離れた位置に位置する。
【００８２】
図６（ａ）に示すように、第３現像外表面５４０は、前述した第２ガイド面Ｇ２２に接触する。第２ガイド溝ＧＧ２は、第３現像外表面５４０に位置する。
【００８３】
第２ガイド溝ＧＧ２は、第３現像外表面５４０から上方に向けて凹んでいる。第２ガイド溝ＧＧ２は、第２方向において、第３現像外表面５４０の中央に位置する。第２ガイド溝ＧＧ２は、第１方向に延びている。第２ガイド溝ＧＧ２の第１方向の一端は、第２ガイド溝ＧＧ２の第１方向の他端よりも第２ハンドルＨ２に近い。第２ガイド溝ＧＧ２の第１方向の他端は、第１方向に開口している。
【００８４】
図７に示すように、第１ストッパＳ１、第２ストッパＳ２、第３ストッパＳ３および第４ストッパＳ４は、それぞれ第１ガイド面Ｇ１１１，Ｇ１１２，Ｇ１１３，Ｇ１１４を有する。第１ガイド面Ｇ１１１〜Ｇ１１４は、ドラムカートリッジ４０Ａ〜４０Ｄを本体筐体２に対して着脱するときに、ドラムカートリッジ４０Ａ〜４０Ｄの第４ドラム外表面４４０を支持する面である。上下方向において、第１ガイド面Ｇ１１１〜Ｇ１１４の位置は、ガイド部Ｇの第１ガイド面Ｇ１１〜Ｇ１４の位置と同じである。
【００８５】
ストッパＳ１〜Ｓ５のそれぞれの間には、第２ガイド面Ｇ１２１，Ｇ１２２，Ｇ１２３，Ｇ１２４が位置する。第２ガイド面Ｇ１２１〜Ｇ１２４は、現像カートリッジ５０Ａ〜５０Ｄを本体筐体２に対して着脱するときに、現像カートリッジ５０Ａ〜５０Ｄの第３現像外表面５４０を支持する面である。上下方向において、第２ガイド面Ｇ１２１〜Ｇ１２４の位置は、ガイド部Ｇの第２ガイド面Ｇ２１〜Ｇ２４の位置と同じである。ストッパＳ１〜Ｓ５は、第２ガイド面Ｇ１２１〜Ｇ１２４から上に突出する。
【００８６】
本体筐体２は、第１ガイド面Ｇ２１１，Ｇ２１２，Ｇ２１３，Ｇ２１４と、第２ガイド面Ｇ２２１，Ｇ２２２，Ｇ２２３，Ｇ２２４と、第１ガイドレールＲ１１，Ｒ１２，Ｒ１３，Ｒ１４と、第２ガイドレールＲ２１，Ｒ２２，Ｒ２３，Ｒ２４と、を有している。
【００８７】
第１ガイド面Ｇ２１１〜Ｇ２１４は、ドラムカートリッジ４０Ａ〜４０Ｄを本体筐体２に対して着脱するときに、ドラムカートリッジ４０Ａ〜４０Ｄの第４ドラム外表面４４０を支持する面である。上下方向において、第１ガイド面Ｇ２１１〜Ｇ２１４の位置は、ガイド部Ｇの第１ガイド面Ｇ１１〜Ｇ１４の位置と同じである。
【００８８】
第２ガイド面Ｇ２２１〜Ｇ２２４は、現像カートリッジ５０Ａ〜５０Ｄを本体筐体２に対して着脱するときに、現像カートリッジ５０Ａ〜５０Ｄの第３現像外表面５４０を支持する面である。上下方向において、第２ガイド面Ｇ２２１〜Ｇ２２４の位置は、ガイド部Ｇの第２ガイド面Ｇ２１〜Ｇ２４の位置と同じである。
【００８９】
第１ガイドレールＲ１１〜Ｒ１４は、ドラムカートリッジ４０Ａ〜４０Ｄを第１方向に案内するレールである。第１ガイドレールＲ１１〜Ｒ１４は、第１方向に延びる。第１ガイドレールＲ１１〜Ｒ１４は、それぞれ、ドラムカートリッジ４０Ａ〜４０Ｄの第１ガイド溝ＧＧ１（図５参照）に入る。
【００９０】
第２ガイドレールＲ２１〜Ｒ２４は、現像カートリッジ５０Ａ〜５０Ｄを第１方向に案内するレールである。第２ガイドレールＲ２１〜Ｒ２４は、第１方向に延びる。第２ガイドレールＲ２１〜Ｒ２４は、それぞれ、現像カートリッジ５０Ａ〜５０Ｄの第２ガイド溝ＧＧ２（図６参照）に入る。
【００９１】
ガイド部Ｇは、４つの凹部ＣＰ１，ＣＰ２，ＣＰ３，ＣＰ４を有する。各凹部ＣＰ１〜ＣＰ４は、各第１ガイド面Ｇ１１〜Ｇ１４から下方に向けて凹む。図８に示すように、第２ドラムカートリッジ４０Ｂが第１ガイド面Ｇ１２上に載った状態において、第２ドラムカートリッジ４０Ｂの第１突起Ｐ１は、凹部ＣＰ２に入る。これにより、第２ドラムカートリッジ４０Ｂは、ガイド部Ｇと第１方向において干渉することなく、第１方向に移動可能となっている。
【００９２】
凹部ＣＰ２は、第１方向において、第２ストッパＳ２と重なっている。そのため、図９に示すように、第２ドラムカートリッジ４０Ｂを本体筐体２から引き出す際には、第１突起Ｐ１は、ガイド部Ｇの凹部ＣＰ２を通った後、第２ストッパＳ２に接触する。これにより、第２ドラムカートリッジ４０Ｂの第１方向の移動が止められる。
【００９３】
なお、図７に示すように、その他の凹部ＣＰ１，ＣＰ３，ＣＰ４とその他のドラムカートリッジ４０Ａ，４０Ｃ，４０Ｄとの関係も同様に構成されている。また、本体筐体２は、凹部ＣＰ１，ＣＰ２，ＣＰ３，ＣＰ４と同様の凹部ＣＰ２１，ＣＰ２２，ＣＰ２３，ＣＰ２４を有する。本体筐体２の凹部ＣＰ２１，ＣＰ２２，ＣＰ２３，ＣＰ２４とドラムカートリッジ４０Ａ〜４０Ｄとの関係は、ガイド部Ｇの凹部ＣＰ１〜ＣＰ４とドラムカートリッジ４０Ａ〜４０Ｄとの関係と同じである。また、その他の凹部ＣＰ１，ＣＰ３，ＣＰ４とストッパＳ１，Ｓ３，Ｓ４との関係は、上述した凹部ＣＰ２と第２ストッパＳ２との関係と同じである。
【００９４】
図８に示すように、第２現像カートリッジ５０Ｂは、ガイド部Ｇの２つの凸部Ｇ２，Ｇ３の間を通過可能な大きさとなっている。第２現像カートリッジ５０Ｂの第１方向の一部、詳しくは第２ハンドルＨ２は、第２ストッパＳ２と第３ストッパＳ３の間を通過可能な大きさとなっている。そして、第２現像カートリッジ５０Ｂの第２突起Ｐ２は、第１方向において、第３ストッパＳ３と重なっている。
【００９５】
そのため、図１０に示すように、第２現像カートリッジ５０Ｂを本体筐体２から引き出す際には、まず、第２現像カートリッジ５０Ｂは、ガイド部Ｇの２つの凸部Ｇ２，Ｇ３の間を通る。その後、第２現像カートリッジ５０Ｂの第２ハンドルＨ２が、第２ストッパＳ２と第３ストッパＳ３の間を通った後、第２突起Ｐ２が第３ストッパＳ３に接触する。これにより、第２現像カートリッジ５０Ｂの移動が止められる。
【００９６】
なお、その他の現像カートリッジ５０Ａ，５０Ｃ，５０Ｄの各第２突起Ｐ２とストッパＳ３〜Ｓ５の構造は、上述した第２現像カートリッジ５０Ｂの第２突起Ｐ２と第３ストッパＳ３の構造と同じである。
【００９７】
次に、第２ドラムカートリッジ４０Ｂおよび第２現像カートリッジ５０Ｂの着脱方法について説明する。なお、その他のカートリッジの着脱方法については、同様であるため、説明を省略する。
【００９８】
図２に示すように、第１カバーＣ１および第２カバーＣ２を開けると、本体筐体２の開口２２Ａを通して各カートリッジのハンドルＨ１，Ｈ２が外部に露出する。第２ドラムカートリッジ４０Ｂを本体筐体２から取り外す場合には、ユーザは、第２ドラムカートリッジ４０Ｂの第１ハンドルＨ１を掴む。詳しくは、ユーザは、第２ドラムカートリッジ４０Ｂの第１凹みＢ１に指を入れる。
【００９９】
次いで、ユーザは、第２ドラムカートリッジ４０Ｂを第１方向に引っ張る。これにより、図３に示すように、第２ドラムカートリッジ４０Ｂは、各第１ガイド面Ｇ２１２，Ｇ１２，Ｇ１１２（図７参照）にガイドされ、第１方向に移動する。
【０１００】
そして、図９に示すように、第２ドラムカートリッジ４０Ｂの第１突起Ｐ１が第２ストッパＳ２に接触すると、第２ドラムカートリッジ４０Ｂの第１方向の移動が止まる。そのため、第２ドラムカートリッジ４０Ｂが本体筐体２から脱落することが抑制される。その後、ユーザは、ドラムハンドルＨＵ１を掴む。次いで、ユーザは、第２ドラムカートリッジ４０Ｂを上に持ち上げる。これにより、ユーザは、第２ドラムカートリッジ４０Ｂを本体筐体２から容易に取り外すことができる。
【０１０１】
図２に戻って、第２現像カートリッジ５０Ｂを本体筐体２から取り外す場合には、ユーザは、第２現像カートリッジ５０Ｂの第２ハンドルＨ２を掴む。詳しくは、ユーザは、第２現像カートリッジ５０Ｂの第２凹みＢ２に指を入れる。
【０１０２】
次いで、ユーザは、第２現像カートリッジ５０Ｂを第１方向に引っ張る。これにより、図４に示すように、第２現像カートリッジ５０Ｂは、各第２ガイド面Ｇ２２２，Ｇ２２，Ｇ１２２（図７参照）にガイドされ、第１方向に移動する。
【０１０３】
そして、図１０に示すように、第２現像カートリッジ５０Ｂの第２突起Ｐ２が第３ストッパＳ３に接触すると、第２現像カートリッジ５０Ｂの第１方向の移動が止まる。そのため、第２現像カートリッジ５０Ｂが本体筐体２から脱落することが抑制される。その後、ユーザは、現像ハンドルＨＵ２を掴む。次いで、ユーザは、第２現像カートリッジ５０Ｂを上に持ち上げる。これにより、ユーザは、第２現像カートリッジ５０Ｂを本体筐体２から容易に取り外すことができる。
【０１０４】
なお、各カートリッジ４０Ｂ，５０Ｂを本体筐体２に装着する方法は、前述した作業の手順を逆に行えばよい。
【０１０５】
以上によれば、本実施形態において以下のような効果を得ることができる。
第１ハンドルＨ１の第１部位Ｈ１１と第１ドラム外表面４１０の間に指を入れることができるので、ドラムカートリッジ４０Ａ〜４０Ｄを第１方向に容易に引き出すことができる。第２ハンドルＨ２の第４部位Ｈ２１と第１現像外表面５１０の間に指を入れることができるので、現像カートリッジ５０Ａ〜５０Ｄを第１方向に容易に引き出すことができる。
【０１０６】
第１部位Ｈ１１が、第２部位Ｈ１２と第３部位Ｈ１３によって第１ドラム外表面４１０に連結されることで、ユーザが指を第１部位Ｈ１１に引っ掛けたときに第１部位Ｈ１１が撓みにくくなるので、第１部位Ｈ１１の変形を抑えることができる。第４部位Ｈ２１が、第５部位Ｈ２２と第６部位Ｈ２３によって第１現像外表面５１０に連結されることで、ユーザが指を第４部位Ｈ２１に引っ掛けたときに第４部位Ｈ２１が撓みにくくなるので、第４部位Ｈ２１の変形を抑えることができる。
【０１０７】
第１ハンドルＨ１が第１ドラム外表面４１０の下部に配置されるので、第１ハンドルＨ１と第１ドラム外表面４１０との間の第１凹みＢ１に指を上から入れやすくすることができる。第２ハンドルＨ２が第１現像外表面５１０の下部に配置されるので、第２ハンドルＨ２と第１現像外表面５１０との間の第２凹みＢ２に指を上から入れやすくすることができる。
【０１０８】
第１凹みＨ１および第２凹みＨ２が上下方向に貫通するので、ユーザの指を第１凹みＨ１または第２凹みＨ２に上または下、あるいは両方から差し込むことができる。
【０１０９】
ドラムカートリッジ（例えば４０Ａ）および現像カートリッジ（例えば５０Ａ）の両方が、ハンドルＨ１，Ｈ２を有するので、ドラムカートリッジおよび現像カートリッジの両方を第１方向に容易に引き出すことができる。
【０１１０】
第２カバーＣ２がストッパＳ１〜Ｓ５を有するので、本体筐体２からカートリッジ（例えば４０Ａ）を勢いよく引き出した場合であっても、カートリッジが本体筐体２から脱落するのをストッパ（例えばＳ１）で抑えることができる。
【０１１１】
第１ガイド面（例えばＧ１１）を第２ガイド面（例えばＧ２１）よりも上に配置したので、カートリッジの着脱時において、現像ローラ５１と感光ドラム４１を離しておくことができ、カートリッジの着脱時の抵抗を減らすことができる。
【０１１２】
第１カバーＣ１および第２カバーＣ２を開いた状態において、ストッパＳ１〜Ｓ５が、ガイド部Ｇよりも開口２２Ａから遠い位置に位置するので、カートリッジを開口２２Ａから大きく引き出すことができ、カートリッジの交換作業を容易に行うことができる。
【０１１３】
第２ストッパＳ２が、第１現像カートリッジ５０Ａおよび第２ドラムカートリッジ４０Ｂの両方に接触するので、例えば第１現像カートリッジ５０Ａ用のストッパと第２ドラムカートリッジ４０Ｂ用のストッパを別にする構造に比べ、構造を簡易化することができる。同様に、第３ストッパＳ３および第４ストッパＳ４も、１つのストッパで２つのカートリッジの移動を止める機能を有するので、構造をより簡易化することができる。
【０１１４】
各カートリッジがドラムハンドルＨＵ１および現像ハンドルＨＵ２を有するので、ハンドルＨ１，Ｈ２を利用してカートリッジを第１方向に引き出した後、ドラムハンドルＨＵ１および現像ハンドルＨＵ２を利用してカートリッジを上方に取り出すことができる。
【０１１５】
ドラムハンドルＨＵ１が、第２ドラム外表面４２０から凹む凹部４２１によって形成されているので、ドラムハンドルＨＵ１が第２ドラム外表面４２０から突出するのを抑制することができる。
【０１１６】
ドラムカートリッジおよび現像カートリッジの両方（例えば、４０Ａ，５０Ａ）が、ドラムハンドルＨＵ１および現像ハンドルＨＵ２を有するので、各カートリッジを上方に容易に取り出すことができる。
【０１１７】
なお、本発明は前記実施形態に限定されることなく、以下に例示するように様々な形態で利用できる。以下の説明においては、前記実施形態と略同様の構造となる部材には同一の符号を付し、その説明は省略する。
【０１１８】
図１１に示すように、所定の色に対応した２つのカートリッジ（例えば、４０Ａ，５０Ａ）において、第２ハンドルＨ４の少なくとも一部は、ドラムカートリッジ４０Ａ〜４０Ｄおよび現像カートリッジ５０Ａ〜５０Ｄが本体筐体２に装着された状態において、第１方向において、ドラムカートリッジ４０Ａ〜４０Ｄの少なくとも一部と重なっている。また、第２ハンドルＨ４の少なくとも一部は、ドラムカートリッジ４０Ａ〜４０Ｄおよび現像カートリッジ５０Ａ〜５０Ｄが本体筐体２に装着された状態において、第１方向において、第１ハンドルＨ３よりもドラムフレームＦ１から離れた位置に位置する。
【０１１９】
また、第２ハンドルＨ２の少なくとも一部は、ドラムカートリッジ４０Ａ〜４０Ｄおよび現像カートリッジ５０Ａ〜５０Ｄが本体筐体２に装着された状態において、第１ハンドルＨ３よりも下方に位置する。
【０１２０】
この形態における第１ハンドルＨ３は、図１２に示すように、第１部位Ｈ３１と、第２部位Ｈ３２と、第３部位Ｈ３３と、を有する。第２部位Ｈ３２および第３部位Ｈ３３は、第１部位Ｈ３１と第１ドラム外表面４１０とを連結する。第２部位Ｈ３２は、第１ドラム外表面４１０の第２方向の一端に位置する。なお、この形態では、感光ドラム４１は、第１ドラム外表面４１０の第２方向の他端に位置する。
【０１２１】
第３部位Ｈ３３は、第１部位Ｈ３１の上端に位置する。第３部位Ｈ３３は、第２部位Ｈ３２の上端に繋がっている。第１ハンドルＨ３と第１ドラム外表面４１０との間には、第１凹みＢ３が形成されている。つまり、第１ハンドルＨ３は、第１凹みＢ３を有する。第１凹みＢ３は、下方から上方に向けて凹むとともに、第２方向に凹んでいる。
【０１２２】
第２ハンドルＨ４は、第４部位Ｈ４１と、第５部位Ｈ４２と、第６部位Ｈ４３と、を有する。第５部位Ｈ４２および第６部位Ｈ４３は、第４部位Ｈ４１と第１現像外表面５１０とを連結する。第５部位Ｈ４２は、第４部位Ｈ４１の上端に位置する。
【０１２３】
第６部位Ｈ４３は、第５部位Ｈ４２の第２方向の一端に位置する。第４部位Ｈ４１は、第５部位Ｈ４２および第６部位Ｈ４３よりも下に延びている。第２ハンドルＨ４と第１現像外表面５１０との間には、第３凹みＢ４が形成されている。つまり、第２ハンドルＨ４は、第２凹みＢ４を有する。第２凹みＢ４は、第２方向に凹むとともに、上方から下方に向けて貫通している。
【０１２４】
ドラムカートリッジ（例えば、４０Ａ）および現像カートリッジ（例えば、５０Ａ）が本体筐体２に装着された状態において、第１部位Ｈ３１と第４部位Ｈ４１は、第１方向において、重なっている。詳しくは、第４部位Ｈ４１は、第１方向において、第１部位Ｈ３１の一部を覆っている。言い換えると、第４部位Ｈ４１は、第１方向において、第１部位Ｈ３１よりも第１ドラム外表面４１０から第１方向に離れた位置に位置している。
また、第４部位Ｈ４１と第１ドラム外表面４１０は、第１方向において、重なっている。言い換えると、第４部位Ｈ４１は、第１方向において、第１ドラム外表面４１０と重なる位置まで延びている。また、第４部位Ｈ４１の下端は、第１部位Ｈ３１の下端よりも下に位置している。
【０１２５】
この形態では、第１部位Ｈ３１と第４部位Ｈ４１が、第１方向において、重なっているので、第４部位Ｈ４１の面積を大きくすることができ、第４部位Ｈ４１に対して指をより引っ掛けやすくすることができる。
【０１２６】
第４部位Ｈ４１が第１部位Ｈ３１よりも第１ドラム外表面４１０から第１方向に離れた位置に位置するので、現像カートリッジ（例えば５０Ａ）の第４部位Ｈ４１に指を引っ掛けやすくなる。これにより、交換の頻度が高い現像カートリッジの着脱作業を容易に行うことができる。
【０１２７】
第４部位Ｈ４１が第１ドラム外表面４１０と重なる位置まで延びているため、第４部位Ｈ４１の面積をより大きくすることができる。
【０１２８】
第４部位Ｈ４１の下端が第１部位Ｈ３１の下端よりも下に位置するので、現像カートリッジ（例えば、５０Ａ）の交換時に、誤ってドラムカートリッジ（例えば、４０Ａ）の第１部位Ｈ３１に指が引っかかるのを抑えることができる。
【０１２９】
第３部位Ｈ３３が第１部位Ｈ３１の上端に位置するので、ユーザが第４部位Ｈ４１に対して指を上から引っ掛ける際に、誤って第１凹みＢ３に指が入るのを抑えることができる。
【０１３０】
なお、この形態では、第４部位Ｈ４１で第１部位Ｈ３１の一部を覆ったが、本発明はこれに限定されない。第４部位は第１部位の少なくとも一部を覆っていればよい。例えば、第４部位は、第１部位の全体を覆ってもよい。
【０１３１】
また、図１１の形態とは逆に、第１部位が、第４部位の少なくとも一部を覆っていてもよい。
【０１３２】
図１３に示すように、第２カバーＣ２は、前記実施形態とは異なるストッパＳ６を有していてもよい。具体的に、ストッパＳ６は、第２カバーＣ２を開いた状態において、第２カバーＣ２の先端から上に突出している。ストッパＳ６は、第２カバーＣ２の第２方向の一端から他端にわたって延びている。ストッパＳ６は、すべてのカートリッジ（例えば、４０Ｂ，５０Ｂ）と第１方向で接触可能となっている。これにより、１つのストッパＳ６で、すべてのカートリッジの本体筐体２からの脱落を抑制することができる。
【０１３３】
なお、この構造では、第２カバーＣ２は、第２ガイド部ＧＳを有している。第２ガイド部ＧＳは、５つの凸部ＧＳ１，ＧＳ２，ＧＳ３，ＧＳ４，ＧＳ５（ＧＳ１，ＧＳ２は図示略）と、前記実施形態と同様の４つの第１ガイド面Ｇ１１１〜Ｇ１１４（Ｇ１１１，Ｇ１１２は図示略）および４つの第２ガイド面Ｇ１２１〜Ｇ１２４（Ｇ１２１，Ｇ１２２は図示略）と、を有している。５つの凸部ＧＳ１〜ＧＳ５は、前記実施形態におけるストッパＳ１〜Ｓ５と同一形状となっている。第２ガイド部ＧＳは、第１カバーＣ１および第２カバーＣ２を開いているときに、第１方向においてガイド部ＧとストッパＳ６との間に位置する。
【０１３４】
また、この構造では、各ドラムカートリッジ４０Ａ〜４０Ｄは、前述した第１突起Ｐ１が取り除かれた構造となっている。さらに、各現像カートリッジ５０Ａ〜５０Ｄは、前述した第２突起Ｐ２が取り除かれた構造となっている。これにより、各カートリッジが、凸部ＧＳ１〜ＧＳ５と干渉しないようになっている。そして、各カートリッジは、第１ガイド面Ｇ１１１〜Ｇ１１４および第２ガイド面Ｇ１２１〜Ｇ１２４のいずれかでガイドされる。
【０１３５】
また、本体筐体２は、４つの第１マーカ部Ｍ１１，Ｍ１２，Ｍ１３，Ｍ１４を有する。各第１マーカ部Ｍ１１〜Ｍ１４は、各現像カートリッジ５０Ａ〜５０Ｄの色に対応した色を有している。また、各第１マーカ部Ｍ１１〜Ｍ１４は、各現像カートリッジ５０Ａ〜５０Ｄの位置に対応した位置に位置する。
【０１３６】
ストッパＳ６は、４つの第２マーカ部Ｍ２１，Ｍ２２，Ｍ２３，Ｍ２４を有する。各第２マーカ部Ｍ２１〜Ｍ２４は、各現像カートリッジ５０Ａ〜５０Ｄの色に対応した色を有している。また、各第２マーカ部Ｍ２１〜Ｍ２４は、各現像カートリッジ５０Ａ〜５０Ｄの位置に対応した位置に位置する。
【０１３７】
このようにマーカ部を設けることで、各現像カートリッジ５０Ａ〜５０Ｄを適正な位置に装着することができる。
【０１３８】
前記実施形態では、第１凹みＢ１および第２凹みＢ２を上下方向に貫通する穴としたが、本発明はこれに限定されない。例えば、第１凹みおよび第２凹みの少なくとも一方を、上方から下方に向けて凹む凹みとしてもよい。また、第１凹みおよび第２凹みの少なくとも一方を、下方から上方に向けて凹む凹みとしてもよい。また、第１凹みおよび第２凹みの少なくとも一方を、第２方向に凹む凹みとしてもよい。
【０１３９】
例えば、図１４に示すように、第１凹みＢ５および第２凹みＢ６を、ともに第２方向に凹む凹みとしてもよい。この場合、所定の色に対応した２つのカートリッジ（例えば、４０Ｂ，５０Ｂ）において、第１凹みＢ５が第２方向において現像カートリッジ（５０Ｂ）とは反対側に開口し、第２凹みＢ６が第２方向においてドラムカートリッジ（４０Ｂ）とは反対側に開口してもよい。
【０１４０】
言い換えると、第１凹みＢ５は、第２方向において、隣のドラムカートリッジ４０Ａから対応する現像カートリッジ５０Ｂに向けて凹む。また、第２凹みＢ６は、隣の現像カートリッジ５０Ｂから対応するドラムカートリッジ４０Ａに向けて凹む。
【０１４１】
さらに言い換えると、第１凹みＢ５は、第２方向において、第２方向におけるドラムカートリッジ４０Ｂの一端から第２方向におけるドラムカートリッジ４０Ｂの他端（感光ドラム４１は、第２方向におけるドラムカートリッジ４０Ｂの他端に位置する。）に向けて凹む。また、第２凹みＢ６は、第２方向において、第２方向におけるドラムカートリッジ４０Ｂの他端から第２方向におけるドラムカートリッジ４０Ｂの一端に向けて凹む。
【０１４２】
詳しくは、この形態において、第１ハンドルＨ５は、第１部位Ｈ５１と、第２部位Ｈ５２と、第３部位Ｈ５３と、第７部位Ｈ５４と、を有する。第１部位Ｈ５１は、第１ドラム外表面４１０から第１方向に離れて配置される。第２部位Ｈ５２は、第１部位Ｈ５１の第２方向における現像カートリッジ（５０Ｂ）側の一端部と第１ドラム外表面４１０とを連結する。
【０１４３】
第３部位Ｈ５３は、第１部位Ｈ５１の上端部と第１ドラム外表面４１０とを連結する。第７部位Ｈ５４は、第１部位Ｈ５１の下端部と第１ドラム外表面４１０とを連結する。
【０１４４】
第２ハンドルＨ６は、第４部位Ｈ６１と、第５部位Ｈ６２と、第６部位Ｈ６３と、第８部位Ｈ６４と、を有する。第４部位Ｈ６１は、第１現像外表面５１０から第１方向に離れて配置される。第５部位Ｈ６２は、第４部位Ｈ６１の第２方向におけるドラムカートリッジ（４０Ｂ）側の一端部と第１現像外表面５１０とを連結する。
【０１４５】
第６部位Ｈ６３は、第４部位Ｈ６１の上端部と第１現像外表面５１０とを連結する。第８部位Ｈ６４は、第４部位Ｈ６１の下端部と第１現像外表面５１０とを連結する。
【０１４６】
この構造によれば、第１凹みＢ５と第２凹みＢ６が互いに反対方向に開口するので、ユーザが各カートリッジを容易に引き出すことができる。言い換えると、第１凹みＢ５が、第２方向において、第２方向におけるドラムカートリッジ４０Ｂの一端から第２方向におけるドラムカートリッジ４０Ｂの他端に向けて凹むので、ユーザの指を第２方向の一端側から第１凹みＢ５に差し込むことができる。また、第２凹みＢ６が、第２方向において、第２方向におけるドラムカートリッジ４０Ｂの他端から第２方向におけるドラムカートリッジ４０Ｂの一端に向けて凹むので、ユーザの指を第２方向の他端側から第２凹みＢ６に差し込むことができる。
【０１４７】
前記実施形態では、ドラムハンドルＨＵ１を２つの凹部４２１，４３１で形成したが、本発明はこれに限定されない。例えば、ドラムハンドルを、凹部４２１のみで形成してもよいし、凹部４３１のみで形成してもよい。
【０１４８】
前記実施形態では、カラープリンタ１に本発明を適用したが、本発明はこれに限定されず、その他の画像形成装置、例えばモノクロのプリンタ、複写機、複合機などに本発明を適用してもよい。
【０１４９】
前記した実施形態および変形例で説明した各要素を、任意に組み合わせて実施してもよい。
【符号の説明】
【０１５０】
１      カラープリンタ
２      本体筐体
４０Ａ〜４０Ｄ  ドラムカートリッジ
４１    感光ドラム
５０Ａ〜５０Ｄ  現像カートリッジ
５１    現像ローラ
６３    中間転写ベルト
Ｂ１    第１凹み
Ｂ２    第２凹み
Ｆ１    ドラムフレーム
Ｆ２    現像フレーム
Ｈ１    第１ハンドル
Ｈ２    第２ハンドル
Ｘ１    第１軸
Ｘ２    第２軸
【図１】
2020052359.tif 000003
【図２】
2020052359.tif 000004
【図３】
2020052359.tif 000005
【図４】
2020052359.tif 000006
【図５】
2020052359.tif 000007
【図６】
2020052359.tif 000008
【図７】
2020052359.tif 000009
【図８】
2020052359.tif 000010
【図９】
2020052359.tif 000011
【図１０】
2020052359.tif 000012
【図１１】
2020052359.tif 000013
【図１２】
2020052359.tif 000014
【図１３】
2020052359.tif 000015
【図１４】
2020052359.tif 000016